(57)【要約】【課題】  スライドショーなどの再生において、よりエンターテイメント性を高めるような再生が行えるようにする。【解決手段】  テーブル記憶部６１には、動画像の再生や静止画像の連続再生のときに、その再生速度を所定の間隔で変更するためのテーブルが記憶されている。テーブルは、再生速度とその再生速度で再生する時間が関連付けられて記述されている。表示制御部６７は、画像データ記憶部６６から供給される画像データに基づく画像を、速度設定部６４により設定される再生速度で再生されるように制御する。速度設定部６４は、テーブルに記述されている継続時間だけ、その時点で設定されている再生速度での再生が行われると、テーブルに記述されている次の再生速度に設定を変更する。本発明は、スライドショーなどの機能を有するビデオカメラなどに適用することができる。【選択図】      図２
2007067767.tif 000002
【特許請求の範囲】
【請求項１】
画像データを記憶する画像データ記憶手段と、
再生速度と前記再生速度での再生が継続される継続時間が関連付けられて記述されているテーブルを記憶するテーブル記憶手段と、
前記画像データ記憶手段により記憶されている前記画像データに基づく画像を、前記テーブル記憶手段により記憶されている前記テーブルに記述されている前記再生速度で、前記継続時間だけ再生する再生制御手段と
を備える再生装置。
【請求項２】
前記再生制御手段による制御が行われているとき、音楽の再生を制御する音楽再生手段と、
前記音楽再生手段により再生される前記音楽の音楽データを記憶する音楽データ記憶手段と
をさらに備える請求項１の再生装置。
【請求項３】
前記テーブル記憶手段は、前記音楽の特徴から決定される再生速度と継続時間が記述されているテーブルを記憶する
請求項２に記載の再生装置。
【請求項４】
画像データの記憶を制御する画像データ記憶制御ステップと、
再生速度と前記再生速度での再生が継続される継続時間が関連付けられて記述されているテーブルの記憶を制御するテーブル記憶制御ステップと、
前記画像データ記憶制御ステップの処理により記憶が制御された前記画像データに基づく画像を、前記テーブル記憶ステップの処理により記憶が制御された前記テーブルに記述されている前記再生速度で、前記継続時間だけ再生する再生制御ステップと
を含む再生方法。
【請求項５】
画像データの記憶を制御する画像データ記憶制御ステップと、
再生速度と前記再生速度での再生が継続される継続時間が関連付けられて記述されているテーブルの記憶を制御するテーブル記憶制御ステップと、
前記画像データ記憶制御ステップの処理により記憶が制御された前記画像データに基づく画像を、前記テーブル記憶ステップの処理により記憶が制御された前記テーブルに記述されている前記再生速度で、前記継続時間だけ再生する再生制御ステップと
を含む処理をコンピュータに実行させるプログラム。
【発明の詳細な説明】
【技術分野】
【０００１】
本発明は再生装置および方法、並びにプログラムに関し、特に、動画像の再生速度を、変則的に変化させることができるようにした再生装置および方法、並びにプログラムに関する。
【背景技術】
【０００２】
ビデオカメラなどの動画像を扱う装置が普及し、ユーザが手軽に動画像を撮影したり、撮影した動画像を編集、再生したりすることが一般的に行われている。また、ビデオカメラなどの装置のなかには、動画像だけでなく、静止画像も扱える（撮影したり、再生したりする）装置もある。また、静止画像を扱うデジタルスチルカメラなどと称されるカメラもある。
【０００３】
撮影された静止画像を、スライドショーなどと称される機能で、連続再生することも実現されている。スライドショーを動画像にも対応させ、スライドショーの再生時間が設定されているような場合でも、動画像が最後まで（途中で再生が終了されることなく）再生させることが提案されている。（例えば、特許文献１参照）
【特許文献１】特開２００５−１１００８８号公報
【発明の開示】
【発明が解決しようとする課題】
【０００４】
スライドショーなどのとき、再生される静止画像の枚数が多かったり、再生される動画像の時間が長かったりすると、スライドショーの時間が長くなってしまう。スライドショーの時間が長くなると、ユーザは、途中で退屈してしまうことがあった。
【０００５】
例えば、ユーザが、スライドショーなどを行わせるときには、所望の静止画像や動画像の所望なシーンを検索するときなどであり、そのようなときに、単調にスライドショーが行われると、退屈になりがちであった。
【０００６】
また、長時間の動画像がスライドショーなどの機能で再生されるとき、スライドショー自体の再生時間も長くなり、冗長的なものなってしまう。
【０００７】
本発明は、このような状況に鑑みてなされたものであり、静止画像や動画像を再生するとき、単調でない再生をすることができるようにするものである。
【課題を解決するための手段】
【０００８】
本発明の一側面の再生装置は、画像データを記憶する画像データ記憶手段と、再生速度と前記再生速度での再生が継続される継続時間が関連付けられて記述されているテーブルを記憶するテーブル記憶手段と、前記画像データ記憶手段により記憶されている前記画像データに基づく画像を、前記テーブル記憶手段により記憶されている前記テーブルに記述されている前記再生速度で、前記継続時間だけ再生する再生制御手段とを備える。
【０００９】
前記再生制御手段による制御が行われているとき、音楽の再生を制御する音楽再生手段と、前記音楽再生手段により再生される前記音楽の音楽データを記憶する音楽データ記憶手段とをさらに備えるようにすることができる。
【００１０】
前記テーブル記憶手段は、前記音楽の特徴から決定される再生速度と継続時間が記述されているテーブルを記憶するようにすることができる。
【００１１】
本発明の一側面の再生方法またはプログラムは、画像データの記憶を制御する画像データ記憶制御ステップと、再生速度と前記再生速度での再生が継続される継続時間が関連付けられて記述されているテーブルの記憶を制御するテーブル記憶制御ステップと、前記画像データ記憶制御ステップの処理により記憶が制御された前記画像データに基づく画像を、前記テーブル記憶ステップの処理により記憶が制御された前記テーブルに記述されている前記再生速度で、前記継続時間だけ再生する再生制御ステップとを含む。
【００１２】
再生装置は、独立した装置であっても良いし、記録再生装置の再生処理を行うブロックであっても良い。
【００１３】
本発明の一側面においては、再生速度と、その再生速度における継続時間が記述されたテーブルに基づいて、画像の再生が行われ、その再生速度は、継続時間が経過する毎に設定し直される。
【発明の効果】
【００１４】
本発明の一側面によれば、動画像の再生に変化をつけることが可能となる。
【００１５】
また、動画像の再生速度を変化させることが可能となる。動画像だけでなく、静止画像の連続再生のときに、連続再生の再生速度に変化をつけることが可能となる。
【発明を実施するための最良の形態】
【００１６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１７】
本発明の一側面の再生装置は、画像データを記憶する画像データ記憶手段（例えば、図２の画像データ記憶部６６）と、再生速度と前記再生速度での再生が継続される継続時間が関連付けられて記述されているテーブルを記憶するテーブル記憶手段（例えば、図２のテーブル記憶部６１）と、前記画像データ記憶手段により記憶されている前記画像データに基づく画像を、前記テーブル記憶手段により記憶されている前記テーブルに記述されている前記再生速度で、前記継続時間だけ再生する再生制御手段（例えば、図２のテーブル参照部６２、速度設定部６４、タイマー６５、および表示制御部６７）とを備える。
【００１８】
前記再生制御手段による制御が行われているとき、音楽の再生を制御する音楽再生手段（例えば、図６のＢＧＭデータ処理部１０２）と、前記音楽再生手段により再生される前記音楽の音楽データを記憶する音楽データ記憶手段（例えば、図６のＢＧＭデータ記憶部１０１）とをさらに備えるようにすることができる。
【００１９】
以下に、本発明の実施の形態について図面を参照して説明する。
【００２０】
［再生装置の構成例］
図１は、本発明を適用した再生装置の一実施の形態の構成を示す図である。図１に示した再生装置１１は、例えば、パーソナルコンピュータ、ＰＤＡ（Personal Digital Assistant）、携帯電話など、動画像や静止画像を扱うことができる装置に適用することができる。以下の説明においては、“画像”との記述は、特に断りのない限り、動画像または静止画像のことであるとする。
【００２１】
再生装置１１は、ＲＡＭ（Random Access Memory）１２、出力部１３、伸張処理部１４、制御部１６、入力部１７、電源制御部１８、ＲＯＭ（Read Only Memory）１９、内部記録部２０、およびドライブ２１を含むように構成される。これらの各部は、バス１５により相互に接続されている。
【００２２】
ＲＡＭ１２は、制御部１６の制御の基に、画像データや音声データを一時的に記憶したり、制御部１６が実行するプログラムやデータなどを記憶したりする。出力部１３は、表示部３１やスピーカ３２などを含む構成とされる。例えば、出力部１３の表示部３１は、液晶ディスプレイなどから構成され、ＲＡＭ１２などから供給される画像データを基に、画像を表示する。出力部１３のスピーカ３２も同じく、ＲＡＭ１２などから供給される音声データを基に音声を再生する。
【００２３】
伸張処理部１４は、制御部１６の制御を基に、内部記録部２０またはリムーバブルメディア４１から画像データを取得する。取得される画像データは、所定の方式により圧縮されており、伸張処理部１４は、その圧縮されている画像データを伸張し、ＲＡＭ１２を介して出力部１３に供給する。ここで、圧縮や伸張にかかわる所定の方式とは、例えば、ＭＰＥＧ（Moving Picture Experts Group phase）やＪＰＥＧ（Joint Photographic Experts Group）などである。
【００２４】
制御部１６は、例えば、ＣＰＵ（Central Processing Unit）などから構成され、ＲＯＭ１９や内部記憶部２０に記録されているプログラムを実行し、再生装置１１全体を制御する。また、制御部１６は、入力部１７から供給された入力信号に応じて各種の処理を行う。
【００２５】
入力部１７は、ユーザの指示を入力する部分であり、複数のボタン（不図示）から構成され、ユーザの操作に応じた入力信号を制御部１６に供給する。電源制御部１８は、制御部１６から電力の供給が指示されると、図示せぬ電池、または再生装置１１に接続されている外部電源から再生装置１１の各部に電力を供給する。ＲＯＭ１９は、各種のプログラムやデータを記録し、記録しているプログラムやデータを制御部１６に供給する。
【００２６】
内部記録部２０は、例えば、再生装置１１に内蔵されているハードディスク、不揮発性のフラッシュメモリなどから構成され、画像データやプログラムなどを記録する。ドライブ２１には、必要に応じてリムーバブルメディア４１が装着（接続）される。ドライブ２１は、リムーバブルメディア４１が装着されると、必要に応じてリムーバブルメディア４１に記録されているデータを読み出したり、リムーバブルメディア４１に対してデータを書き込んだりする。
【００２７】
リムーバブルメディア４１は、例えば、不揮発性のフラッシュメモリ、磁気ディスク、光ディスク、光磁気ディスクなどから構成され、再生装置１１に着脱自在とされている。
【００２８】
なお、図１において出力部１３は、再生装置１１に含まれるとしたが、出力部１３は、再生装置１１とは異なる外部の装置で構成することも可能である。例えば、再生装置１１と所定のケーブルで接続されるテレビジョン受像機などを出力部１３としてもよい。
【００２９】
［再生装置の機能について］
図２は、再生装置１１の機能について説明する図である。再生装置１１は、テーブル記憶部６１、テーブル参照部６２、操作部６３、速度設定部６４、タイマー６５、画像データ記憶部６６、および、表示制御部６７から構成されている（これらの機能を有する）。
【００３０】
テーブル記憶部６１は、図３を参照して後述するテーブルを記憶する機能である。テーブル参照部６２は、テーブル記憶部６１に記憶されているテーブルを参照する機能である。操作部６３は、ユーザからの指示を受け入れる機能である。テーブル参照部６２は、操作部６３のユーザからの指示に対応するテーブルであり、テーブル記憶部６１に記憶されているテーブルを参照する。
【００３１】
テーブル参照部６２により参照された値は、速度設定部６４に供給される。速度設定部６４は、再生される画像の速度を設定する機能である。再生される画像が動画像である場合、その動画像の再生速度が設定され、再生される画像が静止画像である場合、複数の静止画像の連続再生における再生速度が設定される。
【００３２】
タイマー６５は、時間を計測する機能である。速度設定部６４は、タイマー６５により計測される時間を用いて、後述するように、所定の時間だけ、所定の速度で画像が再生されるように、その再生速度を設定する。速度設定部６４により設定された再生速度は、表示制御部６７に供給される。
【００３３】
表示制御部６７は、画像データ記憶部６６に記憶されているデータも供給される。画像データ記憶部６６は、画像データを記憶する機能である。表示制御部６７は、画像データ記憶部６６から供給される画像データに基づく画像を、速度設定部６４により設定された再生速度で再生されるように制御する。
【００３４】
すなわち、本実施の形態における再生装置１１は、例えば、動画像データに基づく動画像を再生するとき、その動画像が再生される速度を、テーブルに基づき変化させることができる。以下の説明においては、再生装置１１において実行される速度が変化される再生のことを、適宜、変速再生と記述する。
【００３５】
ここで、図２に示した再生装置１１の機能と、図１に示した再生装置１１の構成との対応について説明を加える。なお、以下に示す対応関係は、一例であり、限定を示すものではない。
【００３６】
テーブル記憶部６１（図２）は、例えば、内部記憶部２０（図１）により実現される機能である。テーブル参照部６２は、例えば、制御部１６が、ＲＯＭ１９（または内部記憶部２０）に記憶されている、変速再生を実行するときに起動されるプログラムに基づき処理を実行することにより実現される機能である。
【００３７】
操作部６３は、入力部１７により実現される機能である。なおタッチパネルなどの操作部材が設けられた再生装置１１の場合、操作部６３は、表示部３１なども含まれることにより実現される機能である。
【００３８】
速度設定部６４は、制御部１６が、変速再生を実現するときに起動されるプログラムに基づき処理を実行することにより実現される機能である。タイマー６５は、専用のハードウェアを設けても良いし、制御部１６が、変速再生を実現するときに起動されるプログラムに基づき処理を実行することにより実現される機能であるとしても良い。画像データ記憶部６６は、内部記憶部２０により実現される機能である。
【００３９】
表示制御部６７は、制御部１６が、変速再生を実現するときに起動されるプログラムに基づき処理を実行することにより実現される機能である。また、表示制御部６７は、再生速度を変化させるために、例えば、ＲＡＭ１２に、伸張処理部１４により伸張された画像データを一旦記憶させ、そのデータの出力部１３への読み出し速度を変えることにより、再生速度を変化させるため、ＲＡＭ１２や伸張処理部１４も、表示制御部６７を実現するための機能として必要である。表示制御部６７を実現するＲＡＭ１２は、例えば、フィールドメモリなどと称されるメモリを用いることができる。
【００４０】
なお、ここでは、制御部１６が所定のプログラムに基づいて処理を実行することにより、実現される機能であるとの表記をしたが、各部は、専用のハードウェアで構成される機能としても良い。
【００４１】
［テーブルについて］
このような変速再生を行う再生装置１１の動作について説明する。まず、再生の際に参照されるテーブル（テーブル記憶部６１に記憶されているテーブル）について説明を加える。図３は、テーブル記憶部６１に記憶されているテーブルを示す図である。図３では、テーブル記憶部６１には、テーブル８１乃至８３の３つのテーブルが記憶されている例を示している。
【００４２】
テーブル記憶部６１に記憶されるテーブル８１乃至８３は、変速再生が実行されるときに参照されるテーブルであるが、各テーブルの違いは、再生速度（再生速度の変化のパターン）の違いである。すなわち、テーブル参照部６２により参照されるテーブルが異なると、同一の動画像を再生したときであっても、再生時間が異なってくる（再生速度が異なってくる）ように構成されている。
【００４３】
テーブル８１は、再生時間が短い（再生速度が速い）ときに参照されるテーブルであり、テーブル８２は、再生時間が普通（再生速度が普通）ときに参照されるテーブルであり、テーブル８３は、再生時間が長い（再生速度が遅い）ときに参照されるテーブルである。
【００４４】
ただし、ここでの再生時間が“短い”、“普通”、“長い”との表記は、変速再生のときの再生時間の比較であり、変速再生でない通常（等倍）の再生時間との比較ではない。また、同様にここでの再生速度が“速い”、“普通”、“遅い”との表記は、変速再生のときの再生速度との比較であり、変速再生でない通常の再生速度の比較ではない。また、“普通”との表記は、変速再生がされない（すなわち通常再生がされる）ことを意味しているのではなく、変速再生時における中間の時間（中間の速度）という意味である。
【００４５】
テーブル８１乃至８３を参照するに、各テーブルは、再生速度と、その再生速度での再生を継続する時間とが関連付けられたテーブルである。テーブル８１を参照するに、再生速度“１倍”には、“２．０秒”が関連付けられ（以下、このような場合、（１倍、２．０秒）と記述する）、その次に、（８倍、０．７５秒）、（１倍、１．０秒）、（４倍、１．０秒）、（１倍、１．５秒）・・・という順に、再生速度と継続時間が関連付けられている。
【００４６】
テーブル８１が参照されて変速再生が行われる場合、１倍速（等倍）の再生が２．０秒行われ、その後、８倍速の再生が０．７５秒行われ、その後、１倍速の再生が１．０秒行われ、その後、４倍速の再生が１．０秒行われといったように、順次、テーブル８１に記載されている順に、再生速度が設定され、その設定された再生速度での再生が、関連付けられている時間だけ行われるといった処理が繰り返される。
【００４７】
再生速度が１倍のときは、等倍再生であり、通常の再生と同等の速度で再生されることを示している。再生速度が１倍以上のときには、早送り再生であり、通常の再生よりも速い速度で再生されることを示している。図３に示したテーブル８１乃至８３の再生速度は、１倍以上の値が記述されている。よって、テーブル８１乃至８３に従って再生が行われると、通常のときよりも速い再生が行われるときが多いことになる。
【００４８】
再生速度が１倍以下のときには、スロー再生であり、通常の再生よりも遅い速度で再生されることを示している。テーブルの値として、１倍以下の数値が記述されるようにしても良い（１倍以下の数値が記述されたテーブルを設けても良い）。
【００４９】
テーブル８２とテーブル８３も、テーブル８１と同様に、再生速度と継続時間が関連付けられたテーブルとされている。このようなテーブル８１乃至８３が記録されているテーブル記憶部６１を含む、再生装置１１の動作について説明する。
【００５０】
［再生装置の動作について］
図４のフローチャートを参照し、再生装置１１の動作について説明する。ステップＳ１１において、再生が指示されたか否かが判断される。ここでの再生は、変速再生を意味している。テーブル参照部６２は、操作部６３から入力されるユーザからの指示を解析し、その指示が、変速再生を指示しているものであるか否かを判断する。ユーザが変速再生を指示するときには、ユーザにより変速再生させる画像が既に選択されている状態である。
【００５１】
例えば、出力部１３としての表示部３１上には、図５Ａに示したような画面が表示されている。この表示されている画像は、例えば、動画像である場合、その動画像の最初のシーンの画像であり、静止画像である場合、連続再生させる複数の静止画像の先頭となる画像である。ユーザは、再生させたい動画像または連続再生させたい静止画像の先頭の画像を選択し、表示部３１に表示させる。なお、動画像と静止画像が、混在している状況で連続再生が指示され、動画像と静止画像が連続再生されるようにすることも可能である。
【００５２】
さらに、変速再生がされる場合、表示部３１には、速度を設定するための画面が表示される。例えば、図５Ａに示した画面例では、“はやい”という速度を設定できる状態の画面を示している。図５Ｂに示した画面例では、“ふつう”という速度を設定できる状態の画面を示している。図５Ｃに示した画面例では、“ゆっくり”という速度を設定できる状態の画面を示している。
【００５３】
変速再生時の速度を決定するための画面のデフォルトとしては、“ふつう”という速度を設定できる状態の画面（図５Ｂ）が表示部３１に表示されるようにし、“ふつう”という文字の左右（図５Ｂの図中の“ふつう”という文字列の左右）に表示されている矢印が選択されることにより、“はやい”または“ゆっくり”という速度が選択できる画面に遷移される（図５Ａの画面または図５Ｃの画面に遷移される）ようにしても良い。
【００５４】
いずれにしても、ユーザは、変速再生を指示し、その変速再生時の再生速度を設定する。ユーザによる設定が行われた場合、ステップＳ１１（図４）において、再生が指示されたと判断され、ステップＳ１２に処理が進められる。
【００５５】
ステップＳ１２において、指示された再生速度に対応するテーブルが参照される。テーブル参照部６２は、操作部６３から供給されたユーザからの指示が、変速再生を指示しており、所定の再生速度が指示されていると判断すると、その指示されている再生速度に対応し、テーブル記憶部６１に記憶されているテーブルの参照を開始する。
【００５６】
例えば、図３に示したようなテーブル８１乃至８３がテーブル記憶部６１に記憶されている場合、テーブル８１乃至８３のうちの、ユーザにより指示された再生速度に対応するテーブルが参照される。ユーザにより指示された再生速度が“はやい”であった場合（図５Ａに示した画面で速度が決定された場合）、テーブル８１が参照される。
【００５７】
ステップＳ１３において、画像データが読み出される。画像データ記憶部６６は、操作部６３からのユーザの指示により、変速再生が指示された画像を判断し、その判断結果に基づく画像データを読み出し、表示制御部６７への供給を開始する。ユーザにより変速再生が指示された画像が、動画像である場合、動画像データが読み出され、表示制御部６７に供給される。ユーザにより変速再生が指示された画像が、静止画像である場合、例えば、所定のフォルダ内に記憶されている静止画像データが、順次読み出され、表示制御部６７に供給される。
【００５８】
ステップＳ１４において、テーブルに記述されている再生速度に合わせて再生速度が設定される。速度設定部６４は、テーブル参照部６２により参照されているテーブルから、その時点で設定すべき再生速度を判断し、その判断結果に基づき、再生速度を設定する。例えば、テーブル８１（図３）の１行目に記述されている（１倍、２．０秒）が参照されている場合、速度設定部６４は、再生速度として“１倍”を設定する。
【００５９】
ステップＳ１５において、設定された再生速度での再生が行われる。表示制御部６７は、速度設定部６４により設定された再生速度で、画像データ記憶部６６から供給される画像データに基づく画像が再生されるように表示を制御する。
【００６０】
表示制御部６７による表示の制御について図１を参照し説明する。内部記憶部２０またはリムーバブルディスク４１から伸張処理部１４に圧縮されている画像データが供給される。伸張処理部１４により伸張された画像データはＲＡＭ１２に供給され、一旦記憶される。ＲＡＭ１２は、フィールドメモリなどから構成され、画像のイメージを作成する。
【００６１】
ＲＡＭ１２に記憶された画像データは、表示部３１に供給されるが、その供給するタイミング（ＲＡＭ１２から画像データが読み出されるタイミング）が制御されることにより、再生速度が制御される。例えば、再生速度が２倍と設定されているときには、１倍速のときの読み出し速度の２倍の読み出し速度で、ＲＡＭ１２からの画像データの読み出しが行われるように制御される。
【００６２】
ステップＳ１５において、設定された再生速度での再生が行われると共に、ステップＳ１６において、所定の時間が経過したか否かの判断が行われる。所定の時間とは、参照されているテーブルの行に記述されている継続時間のことである。例えば、テーブル８１（図３）の一行目に記述されている（１倍、２．０秒）が参照されている場合、ステップＳ１６における所定の時間とは、“２．０秒”のことである。
【００６３】
速度設定部６４は、タイマー６５からの計測時間により、所定の時間が経過したか否かを判断する。このような判断を行うために、速度設定部６４は、ステップＳ１４において再生速度を設定した時点から、設定した再生速度に関連付けられている継続時間が経過したか否かを、タイマー６５による計測時間を参照し判断し続ける。
【００６４】
そして、ステップＳ１６において、速度設定部１７により、継続時間（所定の時間）が経過したと判断されると、ステップＳ１７に処理が進められる。ステップＳ１７において、その時点で再生が指示されている画像が最後まで再生されたか否かが判断される。速度設定部６４は、継続時間が経過したと判断した時点で、画像データ記憶部６６から表示制御部６７に供給されている画像データがあるか否か（画像データの供給が継続されているか否か）を判断することにより、変速再生が指示された画像が最後まで再生されたか否かを判断する。
【００６５】
なお、変速再生が指示された画像が、動画像の場合、その動画像の最後のシーンまで再生が終了されたか否かが判断される。また、変速再生が指示された画像が、静止画像の場合、その静止画像が含まれるフォルダに含まれる全ての画像（ユーザが連続再生を指示した静止画像の全て）が再生されたか否かが判断される。また、動画像と静止画像が混在しているフォルダ内の画像に対して変速再生が指示された場合、そのフォルダに含まれる全ての画像が再生されたか否かが判断される。
【００６６】
ステップＳ１７において、ユーザにより指示された画像は、最後まで再生されたと判断された場合、図４に示したフローチャートの処理（変速再生の処理）は終了され、最後まで再生されていないと判断された場合、ステップＳ１２に処理が戻され、それ以降の処理が繰り返し行われる。
【００６７】
ステップＳ１２に処理が戻されることにより、まず、ステップＳ１２において、指示された再生速度に対応するテーブルの次の行に記載されている再生速度と継続時間が参照される。そして、ステップＳ１３において、画像データ記憶部６６から表示制御部６７に対して画像データが供給される。なお、画像データ記憶部６６からは、指示された画像データが連続的に表示制御部６７に供給されているため、ステップＳ１３の処理が実行されるときだけ画像データが読み出されるのではない。
【００６８】
ステップＳ１４において、ステップＳ１２において参照された再生速度に、再生速度が設定される。そして、ステップＳ１５において、表示制御部６７により、新たに設定された再生速度による画像データの再生が行われる。すなわち、この時点で、再生速度が変更される。
【００６９】
このような処理が行われることにより、例えば、テーブル８１（図３）の１行目の（１倍、２．０秒）から２行目の（８倍、０．７５秒）が参照された場合、再生速度は、１倍速から８倍速に変更されることになる。
【００７０】
このような処理が繰り返されることにより、所定の時間（間隔）毎に、所定の再生速度で再生を行うことを実現することが可能となる。換言すれば、一定の速度で再生が行われるのではなく、再生速度を変化させながら再生が行われるようにすることができる。
【００７１】
このようにすることで、一定の速度で単調に再生されるのではなく、例えば、動画像が変速再生されるとき、再生速度が変化することにより、画像自体の流れに変化を持たせることができる（画像の切り換えが早い場面と遅い場面とが入り交じる状態が混在するようにすることができる）。このことは、再生される画像にエフェクトをかけたような効果を生み出すことができることを意味している。また、再生される画像にリズム感を与えることができる。このようなことから、エンターテイメント性を向上させる（ユーザを退屈させるようなことをなくす）ことが可能となる。
【００７２】
また、テーブルに記述される再生速度として、１以上の値を記述しておけば、当倍速再生（通常再生）よりも早い速度で再生させることができるので、長時間の動画像であっても、または、枚数が多い静止画像であっても、ユーザは、比較的短い時間で全部を閲覧することができ、手軽に閲覧することができるようになる。
【００７３】
ところで、上記したような変速再生は、例えば、スライドショーなどと称される機能に適用することができる。スライドショーとは、静止画像や動画像を連続的に再生する機能である。スライドショーとして再生されるのが、静止画像のみである場合、静止画像が次々と切り替えられることにより、スライドショーが行われる。スライドショーとして再生されるのが、動画像のみまたは動画像が含まれると、その動画像が通常再生され、最後まで再生される（複数の動画像が連続的に通常再生される）。
【００７４】
しかしながら、スライドショーという機能に対し、本発明を適用すると、静止画像のみがスライドショーされるときには、静止画像が切り換えられるタイミングが異なる（１枚の静止画像が表示されている時間が、静止画像毎に異なる）ように再生されるようにすることができる。
【００７５】
動画像のみがスライドショーされるときには、１ストリームの動画像中において、再生速度が所定の間隔毎（この間隔自体も変化する）に変化されるように再生することができる。
【００７６】
また、静止画像と動画像が混在するときのスライドショーがされるときには、静止画像のときには、１枚の静止画像と次の静止画像または動画像に、再生が移るタイミングが異なるように再生され、動画像のときには、その動画像中での再生速度が変化するように再生されるようにすることができる。
【００７７】
よって、本発明をスライドショーなどと称される機能に対して適用した場合であっても、上記したような効果、すなわち、スライドショーにより再生される画像にエフェクトをかけるようなことをでき、エンターテイメント性を向上させることができる。また、再生時間を早めることができるため、長時間の動画像や、枚数が多い静止画像をスライドショーさせるようなときでも、効率良く閲覧させることが可能となる。
【００７８】
［再生装置の他の構成について］
本発明を適用することにより、エンターテイメント性などが向上するが、さらにエンターテイメント性などを向上させるために、変速再生が行われるときに、ＢＧＭ（Back Ground Music）（音楽）が流されるようにしても良い。ＢＧＭとは、ここでは、変速再生が行われるときの静止画像や動画像の内容に関係ない音楽（再生される画像に関連性がない音楽）であるが、変速再生時に流される音楽であるとする。
【００７９】
ＢＧＭが変速再生時に流されるようにしたとしても、上記したように画像に関する変速再生は行われる。すなわち、図４に示したフローチャートの処理に基づいて、画像に関する変速再生は行われる。ＢＧＭも出力するようにした場合、図４に示したフローチャートの処理が実行されるとともに、ＢＧＭを出力するための処理も行われる。
【００８０】
ＢＧＭが出力される場合、再生装置１１の機能としては、図６に示したようになる。図６に示した機能と、図２に示した機能とを比較するに、図６に示した再生装置１１の機能には、図２に示した再生装置１１の機能に、ＢＧＭデータ記憶部１０１とＢＧＭデータ処理部１０２が追加された構成とされている。
【００８１】
ＢＧＭデータ記憶部１０１は、内部記憶部２０（図１）またはリムーバブルメディア４１（図１）で構成することができ、ＢＧＭのデータ（ＢＧＭデータ）（音楽データ）を記憶する機能である。ＢＧＭデータ処理部１０２は、制御部１６（図１）が、変速再生のときに起動されるプログラムのうち、ＢＧＭデータを処理するプログラムに基づいて処理を実行することにより実現される機能である。
【００８２】
ＢＧＭデータ記憶部１０１は、操作部６３から供給されるユーザからの指示に基づき、記憶しているＢＧＭデータを、ＢＧＭデータ処理部１０２に供給する。例えば、ユーザは、変速再生を実行させるとき、変速再生の指示や再生速度の指示を出すとともに、ＢＧＭの出力とどのようなＢＧＭを出力させるかの指示も出す。その指示は、操作部６３からＢＧＭデータ記憶部１０１に供給される。ＢＧＭデータ記憶部１０１は、ユーザの指示に対応するＢＧＭデータを読み出し、ＢＧＭデータ処理部１０２に供給する。
【００８３】
ＢＧＭデータ処理部１０２は、供給されたＢＧＭデータを基に、ＢＧＭを生成し、出力部１３としてのスピーカ３２（図１）に供給する。このような処理が、図４に示したフローチャートの処理とともに行われることにより、変速再生時に、ＢＧＭが流されるようにすることが可能となる。
【００８４】
ところで、変速再生の再生速度と、ＢＧＭとが関連性がない場合、上記したように、変速再生の処理とＢＧＭを出力する処理が別々に行われても良い。換言すれば、変速再生の処理のために、テーブル参照部６２が参照するテーブルと、ＢＧＭデータ記憶部１０１から読み出されるＢＧＭデータに関連性がなく、別々に処理が行えるように構成しても良い。
【００８５】
さらに換言すれば、このようなときには、ユーザが、変速再生時の再生速度と、ＢＧＭを別々に（個々に）に選択できるようにしても良い。
【００８６】
このように、変速再生時の再生速度とＢＧＭを別々に選択できるようにしても良いが、どちらか一方のみが選択されるようにしても良い。すなわち、再生速度が選択されると、一意にＢＧＭが決定される、または、ＢＧＭが選択されると、一意に再生速度が決定されるようにしても良い。
【００８７】
このようにした場合、ユーザは、変速再生時の再生速度か、または、変速再生時に流すＢＧＭかのどちらか一方を選択する。このように、どちらか一方のみが選択されるようにした場合、例えば、変速再生のときの速度が、ＢＧＭのテンポやリズム（ＢＧＭとしての音楽がもつ特徴）にあわせて変更されるようにすることができる。すなわち、ＢＧＭのテンポやリズムが速いときには、再生速度が速く設定され、ＢＧＭのテンポやリズムが遅いときには、再生速度が遅く設定されるようにすることもできる。
【００８８】
このようにした場合、例えば、テーブル記憶部６２に記憶されるテーブルは、ＢＧＭデータと関連付けられた状態で記憶される。テーブル記憶部６２には、例えば、図７に示したようなテーブル１２１乃至１２３が記憶される。
【００８９】
図７に示したテーブル１２１乃至１２３は、図３に示したテーブル８１乃至８３と同様に、再生速度とその再生速度の継続時間が関連付けられたテーブルであるが、テーブル８１乃至８３と異なり、各テーブル１２１乃至１２３には、それぞれＢＧＭ ＩＤ１乃至ＢＧＭ ＩＤ３が、さらに関連付けられている。このＢＧＭ ＩＤ１乃至ＢＧＭ ＩＤ３は、ＢＧＭデータ記憶部１０１に記憶されているＢＧＭデータを、一意に区別するための識別子である。
【００９０】
例えば、テーブル１２１は、ＢＧＭ ＩＤ１で識別されるＢＧＭデータと関連付けられている。すなわち、テーブル１２１が参照されるときには、ＢＧＭ ＩＤ１で識別されるＢＧＭデータが、ＢＧＭデータ記憶部１０１（図６）から読み出され、ＢＧＭデータ処理部１０２に供給される。
【００９１】
また、テーブル１２１は、ＢＧＭ ＩＤ１で識別されるＢＧＭのテンポやリズムの変化にあわせて、再生速度や維持時間が変化するようなパターンが記述されている。例えば、テンポが速い部分では、再生速度が速くなるようにパターンが記述されている。
【００９２】
このようなテーブル１２１乃至１２３が用いられることにより、ＢＧＭの変化と、画像の変化が一致し、ユーザに対して、スライドショーなどと称される画像の連続表示を、より効果的に、よりエンターテイメント性を高めた状態で提供することが可能となる。
【００９３】
このように、テーブル記憶部６１に記憶されるテーブルと、ＢＧＭデータ記憶部１０１に記憶されるＢＧＭデータが関連付けられている場合であり、かつ、ＢＧＭデータが、ユーザの指示によりＢＧＭデータ記憶部１０１に記憶されるような場合、ＢＧＭデータが記憶されるときに、テーブルも記憶される。
【００９４】
例えば、再生装置１１は、ネットワークなどを介して他の装置から供給されるＢＧＭデータなどをＢＧＭデータ記憶部１０１に記憶することができるように構成される。このように再生装置１１が構成されている場合、ＢＧＭデータ記憶部１０１に、ＢＧＭデータが記憶されるとき、その記憶されるＢＧＭデータに関連付けられているテーブル（既にテンポやリズムが解析され、そのテンポやリズムが、再生速度と継続時間というデータとして（パターンとして）記述されているテーブル）も、テーブル記憶部６１に記憶される。
【００９５】
このようなテーブル（図７に示したテーブル１２１乃至１２３）が用いられる場合、再生装置１１の動作は、図８のフローチャートに基づいて行われる。図８に示したフローチャートの処理は、図４に示したフローチャートの処理と比較し、ステップＳ３５における処理が追加された処理の流れとされている。すなわち、ステップＳ３１乃至Ｓ３４は、ステップＳ１１乃至Ｓ１４と基本的に同様の処理であり、ステップＳ３６乃至Ｓ３８は、ステップＳ１５乃至Ｓ１７と基本的に同様の処理であるので、その詳細な説明は省略する。
【００９６】
ステップＳ３１乃至Ｓ３４の処理が実行されることにより、ユーザにより指示された再生速度に対応するテーブルが決定され、参照が開始（継続）され、画像データの読み出しが開始（継続）される。ステップＳ３５において、参照されているテーブルに関連付けられているＢＧＭ ＩＤが読み出され、その読み出されたＢＧＭ ＩＤで識別されるＢＧＭデータが、ＢＧＭデータ記憶部１０１（図６）から読み出され、ＢＧＭデータ処理部１０２に対して供給される。
【００９７】
ステップＳ３６において、表示制御部６７において画像データの再生が行われ、ＢＧＭデータ処理部１０２においてＢＧＭデータの再生（処理）が行われる。このような処理が行われることにより、ユーザ側に画像とＢＧＭが提供される。
【００９８】
このような処理によりＢＧＭが変速再生時に出力される場合、１つのＢＧＭデータに対して１つのテーブルが用意される（例えば、図７に示したように、テーブル１２１には、１つのＢＧＭ ＩＤ１が割り当てられる）。このようなときには、予めＢＧＭデータが解析された結果としてのテーブルが用意され、そのテーブルが、テーブル記憶部６１に記憶されていることになる。このように（上記したように）、テーブルを用意し、そのテーブルを記憶するようにしても良いが、再生装置１１自体が、ＢＧＭデータを解析し、その解析結果に基づき、再生速度や継続時間を決定する（すなわち、テーブルに記述されているデータと同等のデータを生成する）ようにしても良い。
【００９９】
このようにした場合、再生装置１１は、ＢＧＭデータを解析する解析部（不図示）を備える構成とされ、その解析部により解析された結果が用いられて、再生速度が制御される。この際、解析結果を基に、テーブルが作成され、記憶され、そのテーブルが参照されることにより再生速度の制御が行われるようにしても良い。
【０１００】
このようなＢＧＭデータの解析（具体的には、ＢＧＭデータに基づくＢＧＭのテンポやリズムの解析）には、本出願人が先に出願した特開２００５−１２２６６４号公報に記載されている技術を適用することができる。
【０１０１】
このように、再生装置１１でＢＧＭデータの解析を行うようにした場合であっても、上記したような効果、すなわち、スライドショーなどと称される機能により再生される画像にエフェクトをかけるようなことができ、エンターテイメント性を向上させることができる。また、再生時間を早めることができるため、長時間の動画像や、枚数が多い静止画像をスライドショーさせるようなときでも、効率良くユーザに閲覧させることが可能となる。
【０１０２】
なお、ユーザは、上記したような変速再生と、変速再生ではない通常の再生を、再生開始時に設定できるように構成されている。通常再生が設定された場合、再生装置１１は、通常再生、すなわち、再生速度が１倍で、変化しない再生を行う。通常再生のときにはテーブルを参照する必要がないが、仮に、通常再生のときもテーブルを参照するようにした場合、そのテーブルは、再生速度がすべて１倍と記述されていればよい。
【０１０３】
なお、上述した実施の形態においては、テーブルが参照されて再生速度や継続時間が決定されるとしたが、テーブルなどに予め記述されている再生速度や継続時間に依存せずに、ランダムに、再生速度や継続時間が設定されるようにしても良い。
【０１０４】
［記録媒体について］
上述した一連の処理は、ハードウェアにより実行させることもできるし、ソフトウエアにより実行させることもできる。一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【０１０５】
コンピュータにインストールされ、コンピュータによって実行可能な状態とされるプログラムを格納するプログラム格納媒体は、図１に示すように、磁気ディスク（フレキシブルディスクを含む）、光ディスク（CD-ＲＯＭ(Compact Disc-Read Only Memory),DVD(Digital Versatile Disc)を含む）、光磁気ディスク（ＭＤ（Mini-Disc）を含む）、もしくは半導体メモリなどよりなるパッケージメディアであるリムーバブルメディア４１、または、プログラムが一時的もしくは永続的に格納されるＲＯＭ１９や、内部記憶部２０を構成するハードディスクなどにより構成される。プログラム格納媒体へのプログラムの格納は、必要に応じてルータ、モデムなどのインタフェースである通信部（不図示）を介して、ローカルエリアネットワーク、インターネット、デジタル衛星放送といった、有線または無線の通信媒体を利用して行われる。
【０１０６】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１０７】
なお、本発明の実施の形態は、上述した実施の形態に限定されるものではなく、本発明の要旨を逸脱しない範囲において種々の変更が可能である。
【図面の簡単な説明】
【０１０８】
【図１】本発明を適用した再生装置の一実施の形態の構成を示す図である。
【図２】再生装置の機能を示す図である。
【図３】テーブルについて説明するための図である。
【図４】再生装置の動作について説明するためのフローチャートである。
【図５】速度設定のための画面例を示す図である。
【図６】再生装置の他の構成例を示す図である。
【図７】テーブルについて説明するための図である。
【図８】再生装置の他の動作について説明するためのフローチャートである。
【符号の説明】
【０１０９】
１１  再生装置，  １２  ＲＡＭ，  １３  出力部，  １４  伸張処理部，  １５  バス，  １６  制御部，  １７  入力部，  １８  電源制御部，  １９  ＲＯＭ，  ２０  内部記憶部，  ２１  ドライブ，  ３１  表示部，  ３２  スピーカ，  ４１  リムーバブルメディア，  ６１  テーブル記憶部，  ６２  テーブル参照部，  ６３  操作部，  ６４  速度設定部，  ６５  タイマー，  ６６  画像データ記憶部，  ６７  表示制御部
【図１】
2007067767.tif 000003
【図２】
2007067767.tif 000004
【図３】
2007067767.tif 000005
【図４】
2007067767.tif 000006
【図５】
2007067767.tif 000007
【図６】
2007067767.tif 000008
【図７】
2007067767.tif 000009
【図８】
2007067767.tif 000010